(57)【要約】  様々な実施形態において、可撓性のある照明ストリップ１００によって形成される形状を示す１つ又は複数の信号が、例えば、この可撓性のある照明ストリップに固定された１つ又は複数のセンサ１１０から取得される。可撓性のある照明ストリップにおける１つ又は複数の変形が、この１つ又は複数の信号に基づいて検出される。１つ又は複数の光源１０２が、検出された１つ又は複数の変形に基づいて、選択的に通電される。幾つかの実施形態では、少なくとも１つの変形によって境界づけられる可撓性のある照明ストリップの第１の論理区画内に含まれる１つ又は複数の光源が通電されて、第１の特性を有する光を放射する。第１の特性とは異なる第２の特性を有する光を放射するように、少なくとも１つの変形によって第１の論理区画から分離される可撓性のある照明ストリップの第２の論理区画内の１つ又は複数の光源が通電される。【特許請求の範囲】
【請求項１】
細長い可撓性のあるストリップと、
前記可撓性のあるストリップに沿って固定された複数の発光ダイオード（ＬＥＤ）と、
前記可撓性のあるストリップによって形成される形状を示す１つ又は複数の信号を提供する１つ又は複数のセンサと、
前記複数のＬＥＤ及び前記１つ又は複数のセンサと通信可能に結合されたコントローラとを含み、
前記コントローラは、前記１つ又は複数のセンサによって提供される前記１つ又は複数の信号に基づいて、前記可撓性のあるストリップ中の１つ又は複数の変形を検出し、
検出された前記１つ又は複数の変形に基づいて選択された１つ又は複数の照明特性を有する光を放射するように前記複数のＬＥＤのうちの１つ又は複数のＬＥＤを選択的に通電する、
照明システム。
【請求項２】
前記コントローラは更に、前記可撓性のあるストリップを前記１つ又は複数の検出された変形によって分離される複数の論理区画に編成し、
第１の照明特性を有する光を放射するように前記複数の論理区画の第１の区画に含まれる１つ又は複数のＬＥＤを通電し、
前記第１の照明特性とは異なる第２の照明特性を有する光を放射するように、前記複数の論理区画の第２の区画に含まれる１つ又は複数のＬＥＤを通電する、請求項１に記載の照明システム。
【請求項３】
前記コントローラは、前記複数の論理区画の各々における１つ又は複数のＬＥＤによって放射される光の１つ又は複数の特性の独立制御を容易にするように更に構成される、請求項２に記載の照明システム。
【請求項４】
前記コントローラは更に、遠隔コンピュータ機器によって、前記複数の論理区画の各々における１つ又は複数のＬＥＤによって放射される光の１つ又は複数の特性を独立制御するように、ユーザによって操作可能であるユーザインターフェースをレンダリングさせるための情報を生成して、前記遠隔コンピュータ機器に前記情報を提供する、請求項３に記載の照明システム。
【請求項５】
前記コントローラは更に、前記第１又は第２の照明特性とは異なる第３の照明特性を有するように、検出された前記１つ又は複数の変形の箇所において又はその近傍の１つ又は複数のＬＥＤを通電する、請求項２に記載の照明システム。
【請求項６】
前記コントローラは、前記可撓性のあるストリップと一体をなす、請求項１に記載の照明システム。
【請求項７】
前記コントローラは、１つ又は複数の有線又は無線の通信ネットワークを介して前記１つ又は複数のセンサと通信する、請求項１に記載の照明システム。
【請求項８】
前記１つ又は複数のセンサが板状電極のアレイを含む、請求項１に記載の照明システム。
【請求項９】
前記板状電極のアレイが、前記可撓性のあるストリップの表面上に、当該表面と平行に取り付けられ、前記コントローラが、前記板状電極のアレイで検出されたインピーダンスの変化に基づいて、前記可撓性のあるストリップの１つ又は複数の湾曲を識別する、請求項８に記載の照明システム。
【請求項１０】
前記板状電極のアレイが第１の板状電極のアレイであり、前記表面が第１の表面であり、前記照明システムが更に、前記第１の表面とは反対側の前記可撓性のあるストリップの第２の表面に取り付けられた第２の板状電極のアレイを含み、前記第２の板状電極のアレイが前記第２の表面に平行に取り付けられている、請求項９に記載の照明システム。
【請求項１１】
前記板状電極のアレイが、前記可撓性のあるストリップの表面上に、当該表面と垂直に取り付けられ、前記コントローラが、前記板状電極のアレイで検出されたインピーダンスの変化に基づいて、前記可撓性のあるストリップの１つ又は複数の湾曲、ねじれ、又は伸長を識別する、請求項８に記載の照明システム。
【請求項１２】
前記照明システムは加速度計を更に含み、前記コントローラは更に、前記加速度計によって提供される信号に基づいて、前記可撓性のあるストリップの向きを検出する、請求項１に記載の照明システム。
【請求項１３】
前記コントローラは更に、前記加速度計によって提供される信号に基づいて、前記可撓性のあるストリップの伸長が少なくとも部分的に重力に起因すると判断する、請求項１２に記載の照明システム。
【請求項１４】
前記照明システムは、前記コントローラと動作可能に結合されたジャイロスコープを含み、前記コントローラは更に、前記ジャイロスコープからの信号に基づいて、前記可撓性のあるストリップのヨーを決定し、少なくとも部分的に前記ヨーに基づいて、前記第１又は第２の照明特性を選択する、請求項２に記載の照明システム。
【請求項１５】
前記コントローラは更に、前記１つ又は複数のセンサによって提供される前記１つ又は複数の信号に基づいて、前記可撓性のあるストリップによって形成される形状を検出する、請求項１に記載の照明システム。
【請求項１６】
前記コントローラは更に、遠隔コンピュータ機器によって、前記可撓性のあるストリップの検出された前記形状を閲覧するように、ユーザによって操作可能なユーザインターフェースをレンダリングさせる情報を生成し、前記遠隔コンピュータ機器に前記情報を提供する、請求項１５に記載の照明システム。
【請求項１７】
前記コントローラは更に、検出された前記形状に基づいて、前記複数のＬＥＤのうちの１つ又は複数のＬＥＤによって放射される光の１つ又は複数の特性を選択する、請求項１５に記載の照明システム。
【請求項１８】
前記コントローラは更に、検出された前記形状に基づいて、前記複数のＬＥＤのうちの１つ又は複数のＬＥＤによって実施されるべき１つ又は複数の照明シーンを選択する、請求項１５に記載の照明システム。
【請求項１９】
発光ダイオード（ＬＥＤ）照明ストリップに固定された１つ又は複数のセンサから、前記ＬＥＤ照明ストリップによって形成される形状を示す１つ又は複数の信号を取得するステップと、
前記１つ又は複数のセンサによって提供される前記１つ又は複数の信号に基づいて、前記ＬＥＤ照明ストリップの１つ又は複数の変形を検出するステップと、
第１の特性を有する光を放射するように、少なくとも１つの変形によって境界づけられる前記ＬＥＤ照明ストリップの第１の論理区画に含まれる１つ又は複数のＬＥＤを通電するステップと、
前記第１の特性とは異なる第２の特性を有する光を放射するように、少なくとも１つの変形によって前記第１の論理区画から分離される前記ＬＥＤ照明ストリップの第２の論理区画に含まれる１つ又は複数のＬＥＤを通電するステップとを含む、照明制御方法。
【請求項２０】
前記第１又は第２の照明特性とは異なる第３の照明特性を有するように、検出された前記１つ又は複数の変形の箇所において又はその近傍の１つ又は複数のＬＥＤを通電するステップを更に含む、請求項１９に記載の照明制御方法。
【請求項２１】
前記第１及び第２の論理区画の各々におけるＬＥＤによって放射される光の１つ又は複数の特性を独立制御するように操作可能であるユーザインターフェースをレンダリングするステップを更に含む、請求項１９に記載の照明制御方法。
【発明の詳細な説明】
【技術分野】
【０００１】
[0001]  本発明は一般的に、照明制御に向けられている。より具体的には、本明細書に記載される様々な本発明の方法及び装置は、可撓性のあるストリップ上の光源によって放射される光を、これらの可撓性のあるストリップで検出される１つ又は複数の変形に基づいて制御することに関する。
【背景技術】
【０００２】
[0002]  デジタル照明技術、即ち、発光ダイオード（ＬＥＤ）などの半導体光源に基づく照明は、従来の蛍光灯、ＨＩＤ、及び白熱灯に対して実現可能な代替物を提供する。ＬＥＤの機能的な長所及び利点としては、高いエネルギー変換効率及び光学効率、耐久性、より低い運用コスト、及びその他多数が挙げられる。ＬＥＤ技術の昨今の進歩は、多くの用途において様々な照明効果を可能にする、効率的でかつ堅牢なフルスペクトルの光源をもたらした。これらの光源を組み込んでいる器具のうちの一部のものは、例えば、本明細書に参照により組み込まれる米国特許第６，０１６，０３８号及び米国特許第６，２１１，６２６号に詳細に議論されているように、様々な色と色が変化する照明効果とを生み出すために、例えば赤、緑、青などの異なる色を生成する１つ又は複数のＬＥＤと、加えてＬＥＤの出力を個別に制御するためのプロセッサと、を含む、照明モジュールを特色にしている。
【発明の概要】
【発明が解決しようとする課題】
【０００３】
[0003]  ＬＥＤストリップ又はロープなどの照明ストリップは、可撓性があることがあり、その結果、曲げられたり、ねじられたり、場合によっては（例えば、繊維ベースのストリップの場合）引き伸ばされる。照明ストリップは、天井の窪みを照射すること、写真フレーム又は窓の周囲を照射すること、歩道を照射すること、棚の上部を照射すること、等の照明に関連した様々な目的のために使用される。携帯コンピュータ機器を操作して照明システムブリッジと通信することによるなどの、様々な仕組みを使用して、照明ストリップの１つ又は複数の光源により放射される光の１つ又は複数の特性を個別に制御することが可能である。しかしながら、照明ストリップ自体（又はその一部）の形状に基づいて、個々の光源又は光源の集合を個別に制御するための、並びに発光を適応的に制御するための、他の手段を提供する必要性が当分野には存在する。
【課題を解決するための手段】
【０００４】
[0004]  本開示は、照明制御のための本発明の方法及び装置に向けられている。例えば、可撓性のある照明ストリップが形成される形状を示す１つ又は複数の信号を提供するように構成される１つ又は複数のセンサ（例えば、電極のアレイ）を有する、細長く可撓性のある照明ストリップが提供され得る。湾曲、ねじれ、又は伸長などの変形が可撓性のある照明ストリップに加えられると、この変形は、この１つ又は複数のセンサによって提供される信号の変化に基づいて検出される。例えば、幾つかの実施形態では、２つ以上の電極間のインピーダンス（例えば、容量性又は抵抗性の）の変化が、可撓性のある照明ストリップのその位置における変形を示す。可撓性のある照明ストリップの光源は、検出された変形に基づいて、様々な態様で選択的に通電される。幾つかの実施形態では、１つ又は複数の検出された変形によって分離される、可撓性のある照明ストリップの論理的な区画内の光源群が、互いに異なって通電され、かつ／又は互いに独立して制御される。
【０００５】
[0005]  一般的に、一態様においては、照明システムは、細長い可撓性のあるストリップと、可撓性のあるストリップに沿って固定された複数の発光ダイオード（ＬＥＤ）と、可撓性のあるストリップによって形成される形状を示す１つ又は複数の信号を提供するように構成される１つ又は複数のセンサと、複数のＬＥＤ及び１つ又は複数のセンサと通信可能に結合されたコントローラとを含む。コントローラは、１つ又は複数のセンサによって提供される１つ又は複数の信号に基づいて、可撓性のあるストリップ中の１つ又は複数の変形を検出し、検出された１つ又は複数の変形に基づいて選択された１つ又は複数の照明特性を有する光を放射するように複数のＬＥＤのうちの１つ又は複数のＬＥＤを選択的に通電するように構成される。
【０００６】
[0006]  様々な実施形態では、コントローラは更に、可撓性のあるストリップを１つ又は複数の検出された変形によって分離される複数の論理区画に編成し、第１の照明特性を有する光を放射するように、複数の論理区画の第１の区画に含まれる１つ又は複数のＬＥＤを通電し、第１の照明特性とは異なる第２の照明特性を有する光を放射するように、複数の論理区画の第２の区画に含まれる１つ又は複数のＬＥＤを通電するように構成される。様々な変形例において、コントローラは、複数の論理区画の各々における１つ又は複数のＬＥＤによって放射される光の１つ又は複数の特性の独立制御を容易にするように更に構成される。様々な変形例において、コントローラは更に、遠隔コンピュータ機器に、複数の論理区画の各々における１つ又は複数のＬＥＤによって放射される光の１つ又は複数の特性を独立制御するようにユーザによって操作可能であるユーザインターフェースをレンダリングさせるように構成される情報を生成し、遠隔コンピュータ機器に情報を提供するように構成される。様々な変形例において、コントローラは更に、第１又は第２の照明特性とは異なる第３の照明特性を有するように、検出された１つ又は複数の変形の箇所において又はその近傍で１つ又は複数のＬＥＤを通電するように構成される。
【０００７】
[0007]  様々な実施形態において、コントローラは、可撓性のあるストリップと一体をなしてもよく、又は、１つ又は複数の有線又は無線の通信ネットワークを介して１つ又は複数のセンサと通信しつつも分離していることでもよい。様々な実施形態において、１つ又は複数のセンサが板状電極のアレイを含む。様々な変形例において、板状電極のアレイが可撓性のあるストリップの表面上に、当該表面と平行に取り付けられ、コントローラが、板状電極のアレイで検出されたインピーダンスの変化に基づいて、可撓性のあるストリップの１つ又は複数の湾曲を識別するように構成される。様々な変形例において、板状電極のアレイが第１の板状電極のアレイであり、表面が第１の表面であり、照明システムが更に、第１の表面とは反対側の可撓性のあるストリップの第２の表面に取り付けられた第２の板状電極のアレイを含み、第２の板状電極のアレイが第２の表面に平行に取り付けられている。様々な変形例において、板状電極のアレイが可撓性のあるストリップの表面上に表面と垂直に取り付けられ、コントローラが、板状電極のアレイで検出されたインピーダンスの変化に基づいて、可撓性のあるストリップの１つ又は複数の湾曲、ねじれ、又は伸長を識別するように構成される。
【０００８】
[0008]  様々な実施形態において、照明システムが加速度計を含むことができ、コントローラが更に、加速度計によって提供される信号に基づいて、可撓性のあるストリップの向きを検出するように構成される。様々な変形例において、コントローラは更に、加速度計によって提供される信号に基づいて、可撓性のあるストリップの伸長が少なくとも部分的に重力に起因すると判断するように構成される。
【０００９】
[0009]  様々な実施形態において、照明システムが、コントローラと動作可能に結合されたジャイロスコープを含む。コントローラは更に、ジャイロスコープからの信号に基づいて、可撓性のあるストリップのヨー（上下を軸とした回転、ｙａｗ）を決定するように構成される。幾つかの実施形態では、コントローラは、少なくとも部分的にヨーに基づいて、第１又は第２の照明特性を選択するように構成される。
【００１０】
[0010]  様々な実施形態において、コントローラは更に、１つ又は複数のセンサによって提供される１つ又は複数の信号に基づいて、可撓性のあるストリップによって形成される形状を検出するように構成される。様々な変形例において、コントローラは更に、遠隔コンピュータ機器に、可撓性のあるストリップの検出された形状を閲覧するようにユーザによって操作可能なユーザインターフェースをレンダリングさせるように構成される情報を生成し、遠隔コンピュータ機器に情報を提供するように構成される。様々な変形例において、コントローラは更に、検出された形状に基づいて、複数のＬＥＤのうちの１つ又は複数のＬＥＤによって放射される光の１つ又は複数の特性を選択するように構成される。様々な変形例において、コントローラは更に、検出された形状に基づいて、複数のＬＥＤのうちの１つ又は複数のＬＥＤによって実施されることになる１つ又は複数の照明シーンを選択するように構成される。
【００１１】
[0011]  別の態様では、照明制御方法が以下を含む、即ち、発光ダイオード（「ＬＥＤ」）照明ストリップに固定された１つ又は複数のセンサから、ＬＥＤ照明ストリップによって形成される形状を示す１つ又は複数の信号を取得するステップと、この１つ又は複数のセンサによって提供される１つ又は複数の信号に基づいて、ＬＥＤ照明ストリップの１つ又は複数の変形を検出するステップと、第１の特性を有する光を放射するように、少なくとも１つの変形によって境界づけられるＬＥＤ照明ストリップの第１の論理区画に含まれる１つ又は複数のＬＥＤを通電するステップと、第１の特性とは異なる第２の特性を有する光を放射するように、少なくとも１つの変形によって第１の論理区画から分離されるＬＥＤ照明ストリップの第２の論理区画に含まれる１つ又は複数のＬＥＤを通電するステップとを含む。
【００１２】
[0012]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００１３】
[0013]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００１４】
[0014]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００１５】
[0015]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００１６】
[0016]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００１７】
[0017]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００１８】
[0018]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００１９】
[0019]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２０】
[0020]  低色温度は、通常、より顕著な赤色成分、すなわち、「温かい印象」を有する白色光を示す一方で、高色温度は、通常、より顕著な青色成分、すなわち、「冷たい印象」を有する白色光を示す。一例として、炎は約１，８００度Ｋの色温度を有し、従来の白熱電球は約２８４８度Ｋの色温度を有し、早朝の日光は約３，０００度Ｋの色温度を有し、曇った日の真昼の空は約１０，０００度Ｋの色温度を有する。約３，０００度Ｋの色温度を有する白色光の下で見られたカラー画像は、比較的赤みの帯びた色調を有する一方で、約１０，０００度Ｋの色温度を有する白色光の下で見られたカラー画像は、比較的青みの帯びた色調を有する。
【００２１】
[0021]  「照明固定具」、「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００２２】
[0022]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００２３】
[0023]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００２４】
[0024]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００２５】
[0025]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００２６】
[0026]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００２７】
[0027]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００２８】
[0028]  ここで用いられる「変形」は、デフォルトの、すなわち公称の形状からの可撓性のある照明ストリップの形状の変化を指す。限定されるわけではないが、変形は、可撓性のある照明ストリップに形成される曲げ、捻じれ、又は伸長を含む。照明ストリップの「論理区画」は、検出された一つ又は複数の変形により境界づけられるストリップの連続した領域を指す。例えば、ユーザが長方形の写真フレームの周辺に可撓性のある照明ストリップを留めたとする。長方形の写真フレームの一辺に沿ってある可撓性の照明ストリップの各領域は、写真フレームの各角に形成される曲げにより境界づけられている。幾つかの実施形態では、論理区画内に含まれるＬＥＤのような光源は、他の論理区画内に含まれる光源とは異なる特性を持つ光を放射する。幾つかの実施形態では、論理区画内に含まれるＬＥＤのような光源は、他の論理区画内に含まれる光源とは独立して選択的に通電される。
【００２９】
[0029]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００３０】
[0030]  図面において、一般的に同様の参照文字は、異なる図を通して同一の部分を指す。また、図面は必ずしも縮尺通りではなく、代わりに、本発明の原理を示す際に、全般的に強調が施されている。
【００３１】
【図１】[0031]  様々な実施形態に従って、本開示の選択された態様で構成される照明システムの例示の構成要素を概略的に示す。
【図２】[0032]  様々な実施形態に従って、可撓性のある照明ストリップ上にどのようにセンサが配置され得るかの例を概略的に示す。
【図３】[0032]  様々な実施形態に従って、可撓性のある照明ストリップ上にどのようにセンサが配置され得るかの例を概略的に示す。
【図４】[0033]  様々な実施形態に従って、可撓性のある照明ストリップ上にどのようにセンサが配置され得るかの別の例を概略的に示す。
【図５】[0034]  様々な実施形態に従って、可撓性のある照明ストリップ上にどのようにセンサが配置され得るかの別の例を概略的に示す。
【図６】[0034]  様々な実施形態に従って、可撓性のある照明ストリップ上にどのようにセンサが配置され得るかの別の例を概略的に示す。
【図７】[0035]  様々な実施形態に従って、特定の態様で変形された可撓性のある照明ストリップの光源によって放射される光を制御するように操作可能であり得るユーザインターフェースの例を概略的に示す。
【図８】[0036]  様々な実施形態に従って、可撓性のある照明ストリップの光源によって放射されることになる照明特性がどのように選択され得るかの例を示す。
【図９】[0036]  様々な実施形態に従って、可撓性のある照明ストリップの光源によって放射されることになる照明特性がどのように選択され得るかの例を示す。
【図１０】[0037]  様々な実施形態に従った、例示の照明制御方法を示す。
【発明を実施するための形態】
【００３２】
[0038]  ＬＥＤストリップ又はロープなどの照明ストリップは、可撓性があることがあり、その結果、曲げられたり、ねじられたり、及び／又は引き伸ばされる。照明ストリップの１つ又は複数の光源によって放射される光の１つ又は複数の特性を独立制御することが可能である一方で、当分野では、可撓性のある照明ストリップ上の個々の光源、又は光源の集合を独立して及び／又は適応的に制御するための他の手段を提供する必要がある。より一般的には、本出願人らは、可撓性のある照明ストリップを、どのように変形されたか及び／又は形作られたかに応じて異なるように光を放射するように構成することが有益であることを認識し、理解している。上記を考慮して、本発明の様々な実施形態及び実施が、変形されたときに様々な態様で光を放射する可撓性のある照明ストリップに関連付けられた方法、システム、及び装置に向けられている。幾つかの実施形態では、可撓性のある照明ストリップは、異なる種類の光を放射し得る論理区画、並びに／又は照明が個別に及び／若しくは適応的に制御可能であり得る論理区画に編成される。
【００３３】
[0039]  図１を参照すると、一実施形態では、照明システム１０が可撓性のある照明ストリップ１００を含むことができ、このストリップ１００自体が細長い可撓性のあるストリップ１０４の片側又は両側に沿って固定された複数の光源１０２ａ〜ｆ（一般的に「光源１０２」と呼ばれる）を含む。光源１０２は、ＬＥＤ、白熱電球、ハロゲン、蛍光灯等の様々な形態を取り得る。幾つかの実施形態では、２つ以上の種類の光源が、単一の可撓性のあるストリップ１０４上で使用される。様々な実施形態では、光源によって放射される光の１つ又は複数の特性、例えば、色相、彩度、輝度、強度、色温度等が、制御可能である。細長い可撓性のあるストリップ１０４は様々な長さを有することでもよく、様々な数の光源１０２がそれらの長さに沿って様々な間隔及び／又は密度で、片側又は両側上に固定されてもよい。
【００３４】
[0040]  光源１０２は、１つ又は複数の通信リンク１０８を介して、コントローラ１０６と通信可能に結合される。幾つかの実施形態では、コントローラ１０６は可撓性のあるストリップ１０４と一体であることができ、この場合には通信リンク１０８は、例えば、プリント回路基板上に見られることがある１つ又は複数のバス又は他の伝送手段の形態を取る。他の実施形態では、コントローラ１０６は可撓性のあるストリップ１０４から分離される。そのような実施形態では、通信リンク１０８は、WiFi（登録商標）、BlueTooth（登録商標）、近距離無線通信（「ＮＦＣ」）、イーサネット（登録商標）、符号化された光、又は、ZigBee（登録商標）などのアドホックの通信技術、等の様々な通信技術を使用する無線又は有線の通信リンクの形態を取る。
【００３５】
[0041]  コントローラ１０６は、複数のセンサ１１０ａ〜ｅ（一般的に「センサ１１０」と呼ばれる）とも通信可能に結合される。センサ１１０は、可撓性のあるストリップ１０４によって形成される形状を示す１つ又は複数の信号を提供するように構成される。これらの信号に基づいて、様々な実施形態において、コントローラ１０６は可撓性のあるストリップ１０４の１つ又は複数の変形（図１には図示せず）を検出する。前述したように、変形は、可撓性のあるストリップ１０４の湾曲、ねじれ、又は伸長などの様々な形態を取る。検出された変形に基づいて、コントローラ１０６は、様々な態様で光源１０２を選択的に通電する。例えば、幾つかの実施形態では、湾曲の程度により、光源１０２によって放射される光の輝度（又は別の照明特性の程度）を規定する。別の例として、コントローラ１０６は、可撓性のあるストリップ１０４を、１つ又は複数の検出された変形によって分離される複数の論理区画（図１には図示せず）に編成する。次いで、コントローラ１０６は、各論理区画内の光源１０２によって放射される光を異なる形で励起する。幾つかの実施形態では、１つの論理区画内の光源から放射される光が、別の論理区画内の光源から放射される光とは独立して制御可能である。
【００３６】
[0042]  幾つかの実施形態では、方位センサ１１２が、例えば重力に対する可撓性のあるストリップ１０４の方位を示す信号を提供するように構成される。幾つかの実施形態では、方位センサ１１２が加速度計を含む。幾つかの実施形態では、コントローラ１０６は、方位センサ１１２によって提供される信号に基づいて、可撓性のあるストリップ１０４の伸長が少なくとも部分的に重力に起因する（例えば、矩形の写真フレームの上部の角を覆って垂れる可撓性のあるストリップ１０４の一部に起こるように）ことを判断するように構成される。幾つかの実施形態では、方位センサ１１２は、例えば可撓性のあるストリップ１０４のヨーを決定するためにコントローラ１０６によって使用され得る信号を提供するジャイロスコープを含む。幾つかの実施形態では、加速度計及びジャイロスコープの両方からの信号が、例えばカルマンフィルタを使用して結合されて、ヨーを決定する。ヨーが分かると、可撓性のあるストリップ１０４が、例えば天井の窪みの周りに、又はテーブルの周りに、内側に曲げられているのか又は外側に曲げられているのかが判断され得る。
【００３７】
[0043]  センサ１１０は、様々な態様で実装される。一例が図２に示されており、ここでは、可撓性のあるストリップ１０４の表面１１６上に表面１１６と平行に配置された（又は、幾つかの場合では、内部に又は下に埋め込まれた）Ｎ個（Ｎ＝正の整数）の板状電極１１４のアレイを使用して、センサが実装されている。そのような実施形態では、コントローラ１０６は、板状電極１１４のアレイで検出される（抵抗性の又は容量性の、絶対的な又は相対的な）インピーダンスの１つ又は複数の変化に基づいて、可撓性のあるストリップ１０４の湾曲などの１つ又は複数の変形を識別するように構成される。図３に示すように、可撓性のあるストリップ１０４が曲げられると、板状電極１１４の相対的な位置が変更されることがあり、これは次いで、２つ以上の板状電極１１４の間のインピーダンスを変化させることがある。インピーダンスのこの変化は、コントローラ１０６によって使用されて湾曲を検出する。
【００３８】
[0044]  図４は、センサ１１０がどのように実施され得るかの別の例を示す。ここで、Ｎ個の板状電極１１４の第１のアレイが、可撓性のあるストリップ１０４の第１の表面１１６上に今一度配置され、図２の態様と類似の態様で動作する。しかしながら、Ｎ個の板状電極１１４’の追加のアレイが、第１の表面１１６の反対側の、可撓性のあるストリップ１０４の第２の表面１１６’上に、第２の表面１１６’と平行に配置されている。この例では、可撓性のあるストリップ１０４の両側が上方に曲げられると、板状電極１１４１と１１４２との間の容量が増加することがあり、一方、板状電極１１４’１と１１４’２との間の容量が減少することがある。可撓性のあるストリップ１０４の両側が下方に曲げられると、板状電極１１４１と１１４２との間の容量が減少することがあり、一方、板状電極１１４’１と１１４’２との間の容量が増加することがある。
【００３９】
[0045]  本明細書の例では、静電容量及びインピーダンスが電気計測として使用されるが、これに限定するものではない。センサ１１０がどのように実装されるかに応じて、電気に関連した様々な測定値の様々な他の変化が測定され、変形を検出するために使用される。例えば、幾つかの実施形態では、センサ１１０（例えば、電極１１４）同士の間の電界又は磁界の変化が測定され、変形を検出するために使用される。
【００４０】
[0046]  図５及び図６は、センサ１１０がどのように実施され得るかの別の例を示す。ここで、Ｎ個の板状電極１１４のアレイが、可撓性のあるストリップ１０４の表面１１６上に表面１１６に垂直に配置されている。図６は、可撓性のあるストリップ１０４の伸長及び湾曲に応答して、これらの板状電極１１４同士の空間的な関係がどのように変化し得るかを、左の２つの画像において側面の断面図で示している。図６の一番右側の画像は、可撓性のあるストリップ１０４のねじれの結果として、板状電極１１４同士の空間的関係がどのように変化し得るかを示している正面断面図である。空間的関係のこれらの変化は、板状電極１１４間のインピーダンス（又は静電容量、又は電界若しくは磁界）の対応する変化を引き起こし得る。インピーダンスのこれらの変化は、コントローラ１０６によって分析されて、可撓性のあるストリップ１０４の形状を検出することができ、加えて、可撓性のあるストリップ１０４の１つ又は複数の伸長、湾曲、又はねじれを検出する。
【００４１】
[0047]  幾つかの実施形態では、可撓性のあるストリップ１０４で検出される湾曲又はねじれは、湾曲又はねじれの角度として表わされる。可撓性のあるストリップ１０４で検出される伸長は、伸長係数として表わされる。幾つかの実施形態では、コントローラ１０６は、可撓性のあるストリップ１０４の伸長を検出すると、伸長された領域における又はその近傍の１つ又は複数の光源１０２に、伸長領域に渡って均一な発光を維持させる。
【００４２】
[0048]  図２に示されるよりも多数の板状電極１１４が図５に示されているが、これに限定するものではいない。任意の数の板状電極１１４が、様々な長さの可撓性のあるストリップ１０４上で使用される。より一般的には、板状電極１１４は、可撓性のあるストリップ１０４に沿って様々な間隔で、かつ／又は可撓性のあるストリップ１０４上で様々な密度で、分散していてもよい。可撓性のあるストリップ１０４に沿った板状電極１１４の分布の密度、又はより一般的には、センサ１１０の分布の密度は、可撓性のあるストリップ１０４に沿った光源１０２の分布の密度よりも、大きくても、等しくても、又は小さくてもよい。
【００４３】
[0049]  センサ１１０は、抵抗性曲げセンサなどの、他の形態も取り得る。幾つかの実施形態では、Spectra Symbol Flex Sensorなどのストリップ状抵抗ベース曲げセンサが、可撓性のあるストリップ１０４中に埋め込まれる。
【００４４】
[0050]  図７は、コンピュータ機器７５４のディスプレイ７５２（例えば、タッチスクリーン）上でレンダリングされ得る、可撓性のあるストリップ１０４上の１つ又は複数の光源１０２によって放射される光を制御するように動作可能な、例示のユーザインターフェース７５０を示している。コンピュータ機器７５４はスマートフォン又はタブレットコンピュータとして示されているが、これに限定するものではない。コンピュータ機器は、これに限定するものではないが、ウェアラブルコンピュータ機器（例えば、スマートグラス、スマートウォッチ）、ラップトップコンピュータ、デスクトップコンピュータ、セットトップボックス、等を含む、他の形態を取り得る。幾つかの実施形態では、コントローラ１０６は、コンピュータ機器７５４によりユーザインターフェース７５０をレンダリングさせるように構成されるデータを生成し、コンピュータ機器７５４にデータを提供するが、これは必須ではない。
【００４５】
[0051]  この例では、（図７には示されていない光源を有する）可撓性のあるストリップ１０４が、４つの側面７５８ａ〜ｄを分離する３つの約９０度の湾曲部７５６ａ〜ｃを備えた概ね正方形の形状にねじ曲げられている。コントローラ１０６（図７には示されておらず、図１を参照）は、可撓性のあるストリップ１０４に沿って配置される１つ又は複数のセンサ１１０（図７には示されておらず、図１を参照）から信号を取得する。これらの信号に基づいて、コントローラ１０６は、３つの湾曲部７５６ａ〜ｃを（変形として）検出する。幾つかの実施形態では、信号及び／又は検出された変形に基づいて、コントローラ１０６は、可撓性のあるストリップ１０４の全体的な形状を（例えば、三角法又は他の計算を用いて）検出する。次いで、コントローラ１０６は、正方形の形状の４つの側面７５８ａ〜ｄに対応する４つの論理領域に可撓性のあるストリップ１０４を編成する。幾つかの実施形態では、インターフェース７５０は、例えば、論理区画７６２ａ〜ｄを分離するエッジを異なる位置にドラッグすることにより、論理区画７６２ａ〜ｄの間の境界を調節するように動作可能であり得る。
【００４６】
[0052]  ユーザインターフェース７５０は、ディスプレイ７５２に検出された形状を表示する。検出された湾曲部は７６０ａ〜ｃで示され、論理区画は７６２ａ〜ｄで示される（破線でそれらを分離して示される）。様々な実施形態において、ユーザは、複数の論理区画７６２ａ〜ｄの各々における１つ又は複数の光源によって放射される光の１つ又は複数の特性を個別に制御する。例えば、幾つかの実施形態では、ユーザインターフェース７５０は、例えば論理区画７６２ａ〜ｄのうちの１つを軽くトントンと叩くことにより、その特定の論理区画内の１つ又は複数の光源によって放射される光の色相、彩度、強度、色温度、動的照明シーケンス、照明シーン、等をユーザが選択できるようにする別のインターフェース（図７には図示せず）をもたらすように動作可能であり得る。
【００４７】
[0053]  幾つかの実施形態では、コントローラ１０６は、検出された可撓性のあるストリップ１０４が形成されている形状に基づいて、可撓性のあるストリップ１０４上の１つ又は複数の光源１０２によって放射される光の１つ又は複数の特性を選択する。図８及び図９は、２つのそのような例を示す。図８では、２つの可撓性のあるストリップ１０４が、９０度の湾曲、及びＵ字型の２つの異なる形状を形成して示されている。各例において、光源（図８〜図９では個々に図示せず）が、色相の勾配（例えば、虹に見られるような）、輝度の勾配（例えば、暗くから明るく、又はその逆）等の特性の勾配を有する光を集合的に放射するように構成される。勾配の異なるレベルが、文字Ａ〜Ｊによって表わされている。
【００４８】
[0054]  図８の各例において、コントローラ１０６は、可撓性のあるストリップ１０４が形成されている形状を判断することができ、検出された形状に基づいて可撓性のあるストリップ１０４の各領域内の光源によって放射されることになる勾配レベルＡ〜Ｊを選択する。左側の例（９０度の湾曲）では、勾配は「Ａ」で始まり「Ｈ」まで上がり、この点で可撓性のあるストリップ１０４が右側に曲がっている。その点から先は、可撓性のあるストリップ１０４が更に上方へは延在していないので、勾配は「Ｈ」のままである。右側の例（Ｕ字型）では、勾配は今一度「Ａ」で始まり、可撓性のあるストリップ１０４のＵ字型の両「足」を上がって「Ｉ」まで進む。勾配は、Ｕ字の中央で値「Ｊ」で頂点に達する。右側の可撓性のあるストリップ１０４は、左側の可撓性のあるストリップ１０４よりも更に上方に延在しているので、勾配値「Ｉ」及び「Ｊ」を含む。
【００４９】
[0055]  図９では、可撓性のあるストリップ１０４がコイル形状に形成されている。これは、例えば１つ又は複数のセンサ１１０からの１つ又は複数の信号に基づいて、コントローラ１０６によって検出され得る。コントローラ１０６は、検出されたコイル形状に基づいて、可撓性のあるストリップ１０４上の１つ又は複数の光源１０２によって放射されることになる光の１つ又は複数の特性を選択する。例えば、幾つかの実施形態では、コントローラ１０６は、光源に、コイルを通じてどちらかの方向に次々に伝わる照明特性の勾配（例えば、虹、明るくから暗く、等）を生成させる。幾つかの実施形態では、コントローラ１０６は、検出されたコイル形状に基づいて、照明シーンを選択する。例えば、コントローラ１０６は、複数の光源１０２によって放射されることになる光の一連の特性を選択して、コイルに蛇の配色を持たせる。幾つかの実施形態では、コントローラ１０６は、検出されたコイル形状に基づいて、可撓性のあるストリップ１０４上の複数の光源１０２によって実施されることになる動的な照明効果を選択する。例えば、コントローラ１０６は、コイルの検出に応答して火炎効果を選択することができ、又は、可撓性のあるストリップ１０４によって形成されたクリスマスツリー形状の検出に応答して休日効果を選択する。
【００５０】
[0056]  幾つかの実施形態では、コントローラ１０６が動的照明効果を選択する代わりに、ユーザが様々な仕組みを用いて動的照明効果を設定する。幾つかの実施形態では、ユーザは、例えばスマートフォン又はタブレットコンピュータなどのコンピュータ機器を使用して、コントローラ１０６によって可撓性のあるストリップに「投影」され得る色又は他の照明特性を有するアニメーション又はビデオを取得する。例えば、ユーザは、図７に示されるようなインターフェースを使用して、１つ又は複数の論理区画７６２ａ〜ｄ内の光源１０２に光を放射させて様々な効果（例えば、炎、水のさざなみ、等）を達成する。
【００５１】
[0057]  ここで図１０を参照すると、様々な実施形態に従った、例えば、コントローラ１０６によって部分的に実施され得る例示の照明制御方法１０００が示されている。様々な動作が特定の順番で示されているが、これに限定するものではない。本開示の趣旨から逸脱することなく、１つ又は複数の動作が、並べ替えられ、追加され、変更され、又は省略される。
【００５２】
[0058]  ブロック１００２において、可撓性のある照明ストリップ（例えば、１０４）の形状を示す信号が、例えば複数のセンサ（例えば、板状電極１１４）から取得され得る。ブロック１００４において、コントローラ１０６は、ブロック１００２において取得された信号に基づいて、可撓性のあるストリップ１０４に形成された１つ又は複数の変形（例えば、湾曲、ねじれ、伸長、等）を検出する。例えば、コントローラ１０６は、２つ以上の板状電極１１４の間のインピーダンスが、可撓性のあるストリップ１０４のその領域にねじれが形成されたことを示唆するような態様で変化したことを判断する。
【００５３】
[0059]  ブロック１００６において、コントローラ１０６は、可撓性のあるストリップ１０４によって形成される形状を検出する。幾つかの実施形態では、コントローラ１０６は、この形状をブロック１００２において取得された信号に基づいて検出する。幾つかの実施形態では、コントローラ１０６は、ブロック１００４において検出された１つ又は複数の変形と組み合わせてブロック１００２において取得された信号に基づいて、この形状を検出する。例えば、コントローラ１０６は、４つの９０度の湾曲が矩形を生ずると判断する。幾つかの実施形態では、コントローラ１０６は、例えば方位センサ１１２からの１つ又は複数の信号に基づいて、形状の向きを追加的に検出する。
【００５４】
[0060]  ブロック１００８において、ブロック１００４において検出された１つ又は複数の変形によって分離される可撓性のあるストリップ１０４の１つ又は複数の論理区画内の１つ又は複数の光源によって放射される光の１つ又は複数の特性を個別に制御するように動作可能な、ユーザインターフェース（例えば、図７における７５０）が、例えばコンピュータ機器７５４上でレンダリングされ得る。幾つかの実施形態では、インターフェース７５０のレンダリングを容易にするように構成されるデータが、コントローラ１０６によって提供され得る。
【００５５】
[0061]  ブロック１０１０において、コントローラ１０６は、少なくとも１つの変形によって境界づけられる可撓性のあるストリップ１０４の第１の論理区画内の１つ又は複数の光源１０２を通電して、第１の照明特性を有する光を放射する。図１０では、第１の照明特性がブロック１００６において検出された可撓性のあるストリップ１０４の形状に基づいて選択されるが、これに限定するものではない。第１の照明特性は、他の入力に基づいて選択されてもよい。
【００５６】
[0062]  ブロック１０１２において、コントローラ１０６は、少なくとも１つの変形によって第１の論理区画から分離される可撓性のあるストリップ１０４の第２の論理区画内の１つ又は複数の光源１０２を通電して、第２の照明特性を有する光を放射する。第２の照明特性は、ブロック１０１０において選択された第１の照明特性とは異なっていてもよい。図１０では、第２の照明特性は、ユーザインターフェース（例えば、７５０）で受け取られた１つ又は複数の命令に基づいて選択されるが、これに限定するものではない。第２の照明特性は、他の入力に基づいて選択されてもよい。
【００５７】
[0063]  ブロック１０１４において、コントローラ１０６は、ブロック１００４において検出された１つ又は複数の変形箇所における又はその近傍における１つ又は複数の光源１０２を通電して、第１又は第２の照明特性と異なっていても又は異なっていなくてもよい、第３の照明特性を有する光を放射する。例えば、幾つかの実施形態では、コントローラ１０６は、可撓性のあるストリップ１０４に形成された角の湾曲部における又はその近傍における１つ又は複数の光源１０２を、他の光源１０２よりも幾分より明るく又はより暗く（例えば、増倍率だけ）、通電する。幾つかの実施形態では、コントローラ１０６は、変形箇所における又はその近傍における１つ又は複数の光源１０２を通電して、ジャイロスコープによって提供される可撓性のあるストリップ１０４のヨー、又は方位センサ１１２によって提供される可撓性のあるストリップ１０４の向き、などの他のデータに基づいて選択された特性の光を放射する。幾つかの実施形態では、ユーザインターフェース７５０は、変形（例えば、湾曲、ねじれ、伸長）箇所における又はその近傍における光源１０２が、可撓性のあるストリップ１０４の他の部分における光源と比較してどのように光を放射するかに影響を与える他の入力又は増倍率を調節するように動作可能であり得る。
【００５８】
[0064]  本明細書に記載される例は、センサ及び光源に関して中央集約化されたコントローラ１０６について言及したが、これに限定するものではない。幾つかの実施形態では、制御がより分散されていることでもよい。例えば、センサからの信号が、例えば幾つかの近くのＬＥＤにおいてより局所的に使用されて、放射されることになる１つ又は複数の照明特性を選択することでもよい。これにより、輝度を周囲環境に自動的に適合させる可撓性のある照明ストリップが可能になる。例えば、矩形の写真フレームの周囲に掛ける場合、角のセンサの近傍の光源はより多くの又はより少ない光を照射してもよく、写真フレームの側面に沿った光源もより多くの又はより少ない光（又は、角において放射される光とは異なる別の特性を有する光）を照射してもよい。
【００５９】
[0065]  幾つかの実施形態では、単一のコントローラが、２つ以上の可撓性のある照明ストリップに渡って分散された光源によって出力される光を制御する。例えば、幾つかの実施形態では、可撓性のある照明ストリップが、連続して接続されているかつ／又は並んでいることでもよい。これらのストリップ上の光源と通信している１つ又は複数のコントローラが、複数の照明ストリップを１つの長い単一のストリップとして扱うように構成される。コントローラは、例えば、その連結されたストリップの全体形状、及び／又は連結されたストリップに形成された１つ又は複数の変形を判断する。このデータを使用して、コントローラは、連結されたストリップを論理区画に編成する。そのような場合、１つの論理区画が、２つの異なる個別の可撓性のある照明ストリップの間に延在する。
【００６０】
[0066]  可撓性のあるストリップ１０４の変形を感知することは、多大なエネルギーを必要とし得る。コントローラ１０６及び／又は可撓性のあるストリップ１０４上の１つ若しくは複数の光源１０２が電池式である場合、様々な技術がエネルギーを節約して使うために使用され得る。例えば、１つ又は複数のセンサ１１０が、特定の瞬間（例えば、電源がオンにされた直後）及び／又は特定の期間（例えば、電源がオンになった後の１分間）のみ活性化されることでもよい。幾つかの実施形態では、１つ又は複数のセンサ１１０が、例えば、スイッチを入れるか、又は可撓性のあるストリップ１０４を振る（これは、例えば方位センサ１１２によって検出され得る）など可撓性のあるストリップ１０４を用いて何らかのアクションを実施することにより、ユーザによって手動で活性化される。
【００６１】
[0067]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００６２】
[0068]  本明細書にて定義されかつ用いられた定義はすべて、辞書の定義、参照することにより組み込まれた文献における定義、及び／又は、定義された用語の通常の意味に優先されて理解されるべきである。
【００６３】
[0069]  本明細書及び特許請求の範囲にて使用される「ａ」及び「ａｎ」の不定冠詞は、特に明記されない限り、「少なくとも１つ」を意味するものと理解されるべきである。
【００６４】
[0070]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。したがって、非限定的な例として、「Ａ及び／又はＢ」との参照は、「含む」といった非制限的言語と共に用いられた場合、一実施形態では、Ａのみ（任意選択的にＢ以外の要素を含む）を指し、別の実施形態では、Ｂのみ（任意選択的にＡ以外の要素を含む）を指し、さらに別の実施形態では、Ａ及びＢの両方（任意選択的にその他の要素を含む）を指す。
【００６５】
[0071]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。「〜のうちの１つのみ」又は「ちょうど１つの」といった反対を明らかに示す用語、又は、特許請求の範囲に用いられる場合は、「〜からなる」という用語だけが、多数の要素又は要素のリストのうちのまさに１つの要素が含まれることを指す。一般的に、本明細書にて使用される「又は」との用語は、「いずれか」、「〜のうちの１つの」、「〜のうちの１つのみ」、又は「〜のうちのちょうど１つのみ」といった排他的な用語が先行する場合にのみ、排他的な代替（すなわち「一方又は他方であるが、両方ではない」）を示すと解釈される。「本質的に〜からなる」は、特許請求の範囲に用いられる場合、特許法の分野にて用いられる通常の意味を有する。
【００６６】
[0072]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。したがって、非限定的な例として、「Ａ及びＢの少なくとも１つ」（又は、同等に「Ａ又はＢの少なくとも１つ」、又は、同等に「Ａ及び／又はＢの少なくとも１つ」）は、一実施形態では、少なくとも１つのＡ（任意選択的に２つ以上のＡを含む）であって、Ｂがない（任意選択的にＢ以外の要素を含む）ことを指し、別の実施形態では、少なくとも１つのＢ（任意選択的に２つ以上のＢを含む）であって、Ａがない（任意選択的にＡ以外の要素を含む）ことを指し、さらに別の実施形態では、少なくとも１つのＡ（任意選択的に２つ以上のＡを含む）と、少なくとも１つのＢ（任意選択的に２つ以上のＢを含む）を指す（任意選択的に他の要素を含む）。
【００６７】
[0073]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００６８】
[0074]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
2017530510.tif 000002
【図２】
2017530510.tif 000003
【図３】
2017530510.tif 000004
【図４】
2017530510.tif 000005
【図５】
2017530510.tif 000006
【図６】
2017530510.tif 000007
【図７】
2017530510.tif 000008
【図８】
2017530510.tif 000009
【図９】
2017530510.tif 000010
【図１０】
2017530510.tif 000011
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
細長い可撓性のあるストリップと、
前記可撓性のあるストリップに沿って固定された複数の発光ダイオード（ＬＥＤ）と、
前記可撓性のあるストリップによって形成される形状を示す１つ又は複数の信号を提供する１つ又は複数のセンサと、
前記複数のＬＥＤ及び前記１つ又は複数のセンサと通信可能に結合されたコントローラとを含み、
前記コントローラは、前記１つ又は複数のセンサによって提供される前記１つ又は複数の信号に基づいて、前記可撓性のあるストリップ中の１つ又は複数の変形を検出し、
検出された前記１つ又は複数の変形に基づいて選択された１つ又は複数の照明特性を有する光を放射するように前記複数のＬＥＤのうちの１つ又は複数のＬＥＤを選択的に通電する、
照明システム。
【請求項２】
前記コントローラは更に、前記可撓性のあるストリップを前記１つ又は複数の検出された変形によって分離される複数の論理区画に編成し、
第１の照明特性を有する光を放射するように前記複数の論理区画の第１の区画に含まれる１つ又は複数のＬＥＤを通電し、
前記第１の照明特性とは異なる第２の照明特性を有する光を放射するように、前記複数の論理区画の第２の区画に含まれる１つ又は複数のＬＥＤを通電する、請求項１に記載の照明システム。
【請求項３】
前記コントローラは、前記複数の論理区画の各々における１つ又は複数のＬＥＤによって放射される光の１つ又は複数の特性の独立制御を容易にするように更に構成される、請求項２に記載の照明システム。
【請求項４】
前記コントローラは更に、遠隔コンピュータ機器によって、前記複数の論理区画の各々における１つ又は複数のＬＥＤによって放射される光の１つ又は複数の特性を独立制御するように、ユーザによって操作可能であるユーザインターフェースをレンダリングさせるための情報を生成して、前記遠隔コンピュータ機器に前記情報を提供する、請求項３に記載の照明システム。
【請求項５】
前記コントローラは更に、前記第１又は第２の照明特性とは異なる第３の照明特性を有するように、検出された前記１つ又は複数の変形の箇所において又はその近傍の１つ又は複数のＬＥＤを通電する、請求項２に記載の照明システム。
【請求項６】
前記１つ又は複数のセンサが板状電極のアレイを含む、請求項１に記載の照明システム。
【請求項７】
前記板状電極のアレイが、前記可撓性のあるストリップの表面上に、当該表面と平行に取り付けられ、前記コントローラが、前記板状電極のアレイで検出されたインピーダンスの変化に基づいて、前記可撓性のあるストリップの１つ又は複数の湾曲を識別する、請求項６に記載の照明システム。
【請求項８】
前記板状電極のアレイが、前記可撓性のあるストリップの表面上に、当該表面と垂直に取り付けられ、前記コントローラが、前記板状電極のアレイで検出されたインピーダンスの変化に基づいて、前記可撓性のあるストリップの１つ又は複数の湾曲、ねじれ、又は伸長を識別する、請求項６に記載の照明システム。
【請求項９】
前記照明システムは加速度計を更に含み、前記コントローラは更に、前記加速度計によって提供される信号に基づいて、前記可撓性のあるストリップの向きを検出する、請求項１に記載の照明システム。
【請求項１０】
前記コントローラは更に、前記加速度計によって提供される信号に基づいて、前記可撓性のあるストリップの伸長が少なくとも部分的に重力に起因すると判断する、請求項９に記載の照明システム。
【請求項１１】
前記照明システムは、前記コントローラと動作可能に結合されたジャイロスコープを含み、前記コントローラは更に、前記ジャイロスコープからの信号に基づいて、前記可撓性のあるストリップのヨーを決定し、少なくとも部分的に前記ヨーに基づいて、前記第１又は第２の照明特性を選択する、請求項２に記載の照明システム。
【請求項１２】
前記コントローラは更に、前記１つ又は複数のセンサによって提供される前記１つ又は複数の信号に基づいて、前記可撓性のあるストリップによって形成される形状を検出する、請求項１に記載の照明システム。
【請求項１３】
前記コントローラは更に、遠隔コンピュータ機器によって、前記可撓性のあるストリップの検出された前記形状を閲覧するように、ユーザによって操作可能なユーザインターフェースをレンダリングさせる情報を生成し、前記遠隔コンピュータ機器に前記情報を提供する、請求項１２に記載の照明システム。
【請求項１４】
前記コントローラは更に、検出された前記形状に基づいて、前記複数のＬＥＤのうちの１つ又は複数のＬＥＤによって放射される光の１つ又は複数の特性を選択する、請求項１２に記載の照明システム。
【請求項１５】
発光ダイオード（ＬＥＤ）照明ストリップに固定された１つ又は複数のセンサから、前記ＬＥＤ照明ストリップによって形成される形状を示す１つ又は複数の信号を取得するステップと、
前記１つ又は複数のセンサによって提供される前記１つ又は複数の信号に基づいて、前記ＬＥＤ照明ストリップの１つ又は複数の変形を検出するステップと、
第１の特性を有する光を放射するように、少なくとも１つの変形によって境界づけられる前記ＬＥＤ照明ストリップの第１の論理区画に含まれる１つ又は複数のＬＥＤを通電するステップと、
前記第１の特性とは異なる第２の特性を有する光を放射するように、少なくとも１つの変形によって前記第１の論理区画から分離される前記ＬＥＤ照明ストリップの第２の論理区画に含まれる１つ又は複数のＬＥＤを通電するステップとを含む、照明制御方法。
【国際調査報告】
2017530510.tif 000012
2017530510.tif 000013
2017530510.tif 000014